(57)【要約】【課題】記録スピードやメンテナンス性や操作性を損なうことなく、設置面積の省スペース化を図ることができる記録装置を提供する。【解決手段】記録装置は、シートを積載する給紙カセット１０と、シートを給送するカセット給紙ローラ３０と、を備えている。給紙カセット１０は、記録装置の本体内に、本体の前面から後方へ向けて挿入されるように構成されている。給紙カセット１０は、全体が本体内に収容される第１の固定位置と、給紙カセット１０の本体内への挿入方向における端部に位置決めされた状態でシートがカセット給紙ローラ３０によって給送されることが可能な第２の固定位置との間を移動可能である。【選択図】図１
2009143691.tif 000002
【特許請求の範囲】
【請求項１】
被記録媒体を積載する積載手段と、被記録媒体を給送する給紙手段と、を備えた記録装置において、
前記積載手段は、前記記録装置の本体内に、前記本体の前面から前記本体の後方へ向けて挿入されるように構成され、かつ、前記積載手段の全体が前記本体内に収容される第１の固定位置と、前記積載手段が前記本体内に挿入される挿入方向における前記積載手段の端部に位置決めされた状態で前記積載手段に積載された被記録媒体が前記給紙手段によって給送されることが可能な第２の固定位置との間を移動可能であることを特徴とする記録装置。
【請求項２】
前記積載手段を前記第１の固定位置と前記第２の固定位置との間を移動させる駆動手段をさらに有し、
前記駆動手段は、前記積載手段が前記第１の固定位置に配置されている場合には、前記給紙手段が被記録媒体の給送を開始する際に、前記積載手段を前記第２の固定位置へと移動させるように構成されている請求項１に記載の記録装置。
【請求項３】
前記本体から排出される被記録媒体を積載する排紙トレイと、該排紙トレイの動作に連動して前記積載手段を移動させる連動駆動手段と、をさらに有し、
前記排紙トレイは、前記記録装置から排出される被記録媒体を積載する前記排紙トレイの積載面が前記記録装置の外面と隣接する位置または前記排紙トレイの全体が前記本体内に収容される位置である収納位置と、前記本体から排出される被記録媒体を積載可能な位置である積載可能位置との間を移動可能であり、
前記連動駆動手段は、前記排紙トレイが、前記収納位置から前記積載可能位置へと移動させられる動作に連動して、前記積載手段を前記第１の固定位置から前記第２の固定位置へと移動させるように構成されている請求項１に記載の記録装置。
【請求項４】
前記積載手段は、前記積載手段の内部に、前記挿入方向における前記積載手段に積載される被記録媒体の端部を規制する規制手段を有し、
前記規制手段は、前記挿入方向における前記積載手段の端部に被記録媒体の端部を位置決めする第１の規制位置と、前記積載手段が前記第１の固定位置に配置されているときに前記給紙手段によって給送されることが可能な位置に被記録媒体の端部を位置決めする第２の規制位置との間を移動可能である請求項１に記載の記録装置。
【請求項５】
前記積載手段を前記第１の固定位置と前記第２の固定位置との間を移動させる駆動手段をさらに有し、
前記駆動手段は、前記積載手段が前記第１の固定位置に配置され、かつ前記規制手段が前記第１の規制位置に配置されている場合には、前記給紙手段が被記録媒体の給送を開始する際に、前記駆動手段が前記積載手段を前記第１の固定位置から前記第２の固定位置へと移動させるように構成されている請求項４に記載の記録装置。
【発明の詳細な説明】
【技術分野】
【０００１】
本発明は、被記録媒体に記録を行う記録装置に関する。
【背景技術】
【０００２】
特許文献１に開示されているインクジェット式の記録装置は、前面からスライド収納可能な給紙カセットとＵターン搬送部とを備えている。
【０００３】
この記録装置は内部に給紙・分離部を備えており、この給紙・分離部は給紙カセットに積載されたシート（被記録媒体）の最上位の１枚のみを分離して、その１枚のシートをＵターン搬送部へこの記録装置の後方へ向けて給送する。給送された最上位の１枚のシートは、Ｕターン搬送部の搬送路に沿って搬送されてＵターンさせられることにより、この記録装置の前方へ向かう方向へ搬送方向が変更させられる。
【０００４】
その後、そのシートはＵターン搬送部よりこの記録装置の前側に設けられた搬送ローラによってこの記録装置の前方へ向けて搬送ローラの上方に配置されている記録ヘッドに対向する位置まで略水平に搬送される。そして、そのシートに記録ヘッドがインクを吐出することによって画像が記録される。画像が記録されたシートは記録装置前部の排紙部に設けられた排紙トレイに排出される。
【０００５】
また、この記録装置は、Ｕターン搬送部の上方に第２の給紙部を備えており、第２の給紙部の給紙トレイにセットされたシートを、給紙カセットにセットされたシートより優先的に給送させることができる。したがって使用頻度の高いシート（例えば普通紙）を給紙カセットにセットしたまま、別種のシート（例えば光沢紙やはがき）を第２の給紙部の給紙トレイにセットして、別種のシートを優先的に給送させることができる。これにより、別種のシートを使用するときに、使用頻度の高いシートを給紙カセットから取り出して、別種のシートを給紙カセットにセットするという手間がかからないため、操作性が向上する。
【０００６】
また、特許文献２に開示されている記録装置は、画像を読み取る機能を有する原稿読み取り部をこの記録装置の上部の第２の給紙部より前側に搭載したいわゆる複合機である。
【０００７】
この記録装置は、原稿読み取り部で読み取った画像データについて、この記録装置内部のメモリへの保管、接続されたパーソナルコンピュータへの送信、この記録装置の記録ヘッドによる記録、などの処理を選択的に行わせることができる。また原稿読み取り部は、原稿読み取り部の後側の回動軸を記録装置本体に支持されており、その回動軸を中心に原稿読み取り部を上方へ回動させることにより、この記録装置の内部へアクセスできるようにされている。これにより、インク交換やジャム処理などの作業を容易に行うことができるのでメンテナンス性が向上する。
【０００８】
またこの記録装置は、給紙トレイおよび排紙トレイがこの記録装置の不使用時に記録装置本体と一体となって収納できるようにされておりこの記録装置の収納時の省スペース化が図られている。収納された給紙トレイおよび排紙トレイは、それぞれ第２の給紙部および排紙部の開口を塞ぐように構成されていることにより、この記録装置の内部を埃等から保護することができ、これによりこの記録装置の故障等を防止することができる。
【特許文献１】特開２００６−０３６４７５号公報
【特許文献２】特開２００６−２９７８６９号公報
【発明の開示】
【発明が解決しようとする課題】
【０００９】
図４〜図６は従来の記録装置の側断面図である。
【００１０】
図４に示す記録装置は、給紙カセット１１０が記録装置本体の前方へ突き出ており、また、第２の給紙部１８０が後方へ突き出ている。これにより記録装置は大型化し、広い設置スペースが必要となる。
【００１１】
図５に示す記録装置は、給紙カセット２１０および第２の給紙部２８０が突き出なくされることで、記録装置の設置面積の省スペース化が図られている。しかし、この記録装置は、図４に示す記録装置に比べて給紙カセットが後側に配置されることで、シートが搬送されるＵターン搬送部２４０の搬送路が長くなり、そのため記録スピードが低速化する。
【００１２】
図６に示す記録装置は、記録ヘッド３６０がこの記録装置の後側に配置されることで、シートが搬送されるＵターン搬送部３４０の搬送路が短くなり、この記録装置の設置面積の省スペースを維持したまま記録スピードの高速化が図られている。しかし、記録ヘッド３６０が記録装置の後側に配置されることで、記録装置内部へのアクセスが悪くなるため、インク交換やジャム処理などのメンテナンス性が悪化する。また、記録ヘッド３６０が記録装置の後部に配置されているため、第２の給紙部を設置することが困難である。よって、給紙カセット３１０にセットされているシートとは別種のシートを使用するときに、セットされていたシートを給紙カセット３１０から取り出して、別種のシートを給紙カセット３１０にセットするという手間がかかるため、操作性が悪化する。
【００１３】
そこで、本発明は、記録スピードやメンテナンス性や操作性を損なうことなく、設置面積の省スペース化を図ることができる記録装置を提供することを目的とする。
【課題を解決するための手段】
【００１４】
上記目的を達成するため、本発明の記録装置は、被記録媒体を積載する積載手段と、被記録媒体を給送する給紙手段と、を備えた記録装置において、前記積載手段は、前記記録装置の本体内に、前記本体の前面から前記本体の後方へ向けて挿入されるように構成され、かつ、前記積載手段の全体が前記本体内に収容される第１の固定位置と、前記積載手段が前記本体内に挿入される挿入方向における前記積載手段の端部に位置決めされた状態で前記積載手段に積載された被記録媒体が前記給紙手段によって給送されることが可能な第２の固定位置との間を移動可能である。
【発明の効果】
【００１５】
本発明によれば、記録スピードやメンテナンス性や操作性を損なうことなく、設置面積の省スペース化を図ることができる記録装置を提供することができる。
【発明を実施するための最良の形態】
【００１６】
次に、本発明の実施形態について図面を参照して説明する。
【００１７】
図１〜図３は本発明の一実施形態に係る記録装置の側断面図である。
【００１８】
本実施形態に係る記録装置は、シートを積載する給紙カセット１０と、給紙カセット１０に積載されたシートを給送するカセット給紙ローラ３０と、カセット給紙ローラ３０に給送されたシートの搬送方向を変更させるＵターン搬送部４０と、を有している。給紙カセット１０やカセット給紙ローラ３０などにより第１の給紙部が構成されている。また、この記録装置は、インクタンク６１からインクを供給されてシートに記録を行う記録ヘッド６０を装着可能なキャリッジ（不図示）と、画像が記録されたシートが排出される排紙トレイ７１と、シートを給送する第２の給紙部８０と、を有している。第２の給紙部８０は、シートを積載する給紙トレイ８１を備えている。
【００１９】
図１は、この記録装置の給紙不能な状態を示している。図２および図３は、この記録装置の給紙可能な状態を示している。
【００２０】
給紙カセット１０は、給紙カセット１０の記録装置本体内への挿入方向におけるシートの先端を位置決めするシート先端規制部材１１と、給紙カセット１０の記録装置本体内への挿入方向における後端を位置決めするシート後端規制部材１２と、を有している。シート先端規制部材１１は、図１および図２に示す第１の規制位置と、図３に示す第２の規制位置との間を移動可能であり、いずれかの規制位置に配置される。第１の規制位置は給紙カセット１０のこの記録装置の後方の端部であり、第２の規制位置は給紙カセット１０のこの記録装置の後方の端部からこの記録装置の前方へ所定の間隔があけられた位置である。シート後端規制部材１２は、給紙カセット１０の内部において、シート先端規制部材１１よりこの記録装置の前側に配置され、この記録装置の前後方向に移動可能であり、シートのサイズに対応した位置に配置される。
【００２１】
シートを給紙カセット１０にセットするには、まず給紙カセット１０の両端を記録装置本体側に形成されたスライドレール（不図示）に沿わせて給紙カセット１０を記録装置本体内から前方へ引き出す。そして、給紙カセット１０の内部のシート先端規制部材１１を、第１の規制位置または第２の規制位置のいずれかの位置に配置させる。
【００２２】
使用するシートの形状がシートの搬送方向に長く、シート先端規制部材１１が第２の規制位置では、使用するシートが給紙カセット１０に収まらない場合には、シート先端規制部材１１を第１の規制位置に配置させる。また、シート先端規制部材１１が第２の規制位置でも、使用するシートが給紙カセット１０に収まる場合には、シート先端規制部材１１を第２の規制位置に配置させる。
【００２３】
その後、シート先端規制部材１１とシート後端規制部材１２との間にシートを積載し、シート後端規制部材１２を移動させてシート先端規制部材１１およびシート後端規制部材１２をそれぞれシートの前後の端部に当接させて挟み込む。そして、給紙カセット１０をスライドレールに沿わせて記録装置本体内に挿入してシートのセットは完了する。
【００２４】
給紙カセット１０は、記録装置本体内への挿入時に、図１および図３に示す第１の固定位置と、図２に示す第２の固定位置とに配置されることができる。第１の固定位置では給紙カセット１０の全体が記録装置本体内に収容されており、第２の固定位置では給紙カセット１０の一部が記録装置本体の前面から突き出ている。
【００２５】
記録装置本体内に挿入された給紙カセット１０の上方には、押圧部（不図示）により回動軸を中心に先端が下向きに回動するように付勢された給紙カセットロックレバー２０が記録装置本体に設けられている。給紙カセット１０の上部には溝２１ａおよび溝２１ｂが形成されており、これらと給紙カセットロックレバー２０の先端とが噛み合うことにより、給紙カセット１０は記録装置本体に固定される。
【００２６】
給紙カセット１０は、給紙カセットロックレバー２０の先端が溝２１ａと噛み合っているときに第１の固定位置に配置され、給紙カセットロックレバー２０の先端が溝２１ｂと噛み合っているときに第２の固定位置に配置される。
【００２７】
シート先端規制部材１１が第１の規制位置に配置されている場合には、給紙カセット１０が第２の固定位置に配置されるときに、給紙カセット１０に積載されたシートの給送方向の先端はカセット給紙ローラ３０によって給送可能な位置に配置されている。図２はこの状態を示している。一方、シート先端規制部材１１が第１の規制位置に配置されている場合に、給紙カセット１０が第２の固定位置以外に配置されるときは、給紙カセット１０に積載されたシートの給送方向の先端はカセット給紙ローラ３０によって給送不能な位置に配置されている。
【００２８】
以上のように、この記録装置は、シート先端規制部材１１が第１の規制位置配置されている場合は、給紙カセット１０が給紙可能位置である第２の固定位置に配置されているときにのみ給紙可能なように構成されている。
【００２９】
シート先端規制部材１１が第２の規制位置に配置されている場合には、給紙カセット１０は第１の固定位置に配置されるときに、給紙カセット１０に積載されたシートの給送方向の先端はカセット給紙ローラ３０によって給送可能な位置に配置されている。図３はこの状態を示している。一方、シート先端規制部材１１が第２の規制位置に配置されている場合に、給紙カセット１０が第１の固定位置以外に配置されるときは、給紙カセット１０に積載されたシートの給送方向の先端はカセット給紙ローラ３０によって給送不能な位置に配置されている。
【００３０】
以上のように、この記録装置は、シート先端規制部材１１が第２の規制位置に配置されている場合は、給紙カセット１０が給紙可能位置である第１の固定位置に配置されているときにのみ給紙可能なように構成されている。
【００３１】
給紙カセット１０に積載されたシートのうち最上位にある１枚のシートは、図２または図３の状態のときに、カセット給紙ローラ３０によって２枚目以降のシートと分離されてＵターン搬送部４０へこの記録装置の後方へ向けて給送される。給送された最上位の１枚のシートは、Ｕターン搬送部４０の搬送路に沿って搬送されてＵターンさせられることにより、この記録装置の前方へ向かう方向へ搬送方向が変更させられる。
【００３２】
その後、シートは、Ｕターン搬送部４０よりこの記録装置の前側に設けられた搬送ローラ５０によってこの記録装置の前方へ向けて搬送ローラ５０の上方に配置されている記録ヘッド６０に対向する位置まで略水平に搬送される。
【００３３】
この記録装置にはガイドレール（不図示）が設けられており、記録ヘッド６０を搭載したキャリッジはシートの搬送方向に対して直交する方向に延びたガイドレールに沿って往復走査することが可能である。記録ヘッド６０に対向する位置まで搬送されたシートは、往復走査するキャリッジに搭載された記録ヘッド６０からインクを吐出されることによって、画像が記録される。画像が記録されたシートは、搬送ローラ５０よりこの記録装置の前側に設けられた排紙ローラ７０により記録装置前部の排紙トレイ７１の上に排出され、そこに保持される。
【００３４】
排紙トレイ７１は、回動軸を記録装置本体に支持されており、その回動軸を中心にシートを排出可能である積載可能位置に配置された排紙トレイ７１を上方へ回動させることができる。これにより、排紙トレイ７１のシートが排出される積載面が記録装置本体の外面に隣接するように排紙トレイ７１を折り畳んで収納位置に配置させることができる。排紙トレイ７１は、積載可能位置に配置されているときにのみ排出されたシートを積載可能であり、積載可能位置以外の積載不能位置に配置されているときには記録装置本体からシートは排出されない。このように、排紙トレイ７１は、この記録装置の使用時にはこの記録装置の前方へ突き出ているが、この記録装置の不使用時には折り畳んで収納位置に配置させることができるので、この記録装置の収納時の省スペース化等が図れる。
【００３５】
また排紙トレイ７１は収納位置に配置されているときには、排紙部の開口を塞ぐようにされており、これによりこの記録装置の内部を埃等から保護することができ、この記録装置の故障等を防止することができる。
【００３６】
またこの記録装置は、Ｕターン搬送部４０の上方に第２の給紙部８０を備えており、第２の給紙部８０の給紙トレイ８１にセットされたシートを、給紙カセット１０にセットされたシートより優先的に給送させることができる。したがって使用頻度の高いシート（例えば普通紙）を給紙カセット１０にセットしたまま、別種のシート（例えば光沢紙やはがき）を給紙トレイ８１にセットして、別種のシートを優先的に給送させることができる。これにより、別種のシートを使用するときに、使用頻度の高いシートを給紙カセット１０から取り出して、別種のシートを給紙カセット１０にセットするという手間がかからないため、操作性が向上する。
【００３７】
給紙トレイ８１は、回動軸を記録装置本体に支持されており、その回動軸を中心に給紙トレイ８１を前方へ回動させることにより、給紙トレイ８１のシートを積載する面が記録装置本体の上面に隣接するように折り畳むことができる。このように、給紙トレイ８１は、この記録装置の使用時にはこの記録装置の上斜め後方へ突き出ているが、この記録装置の不使用時には折り畳むことができるので、この記録装置の収納時の省スペース化等が図れる。
【００３８】
また給紙トレイ８１は折り畳まれているときには、第２の給紙部８０の開口を塞ぐようにされており、これによりこの記録装置の内部を埃等から保護することができ、この記録装置の故障等を防止することができる。
【００３９】
さらに、この記録装置は、画像を読み取る機能を有する原稿読み取り部９０をこの記録装置の上部の第２の給紙部８０より前側に備えている。この記録装置は、原稿読み取り部９０で読み取った画像データについて、この記録装置内部のメモリへの保管、接続されたパーソナルコンピュータへの送信、この記録装置の記録ヘッド６０による記録、などの処理を選択的に行わせることができる。
【００４０】
また原稿読み取り部９０は、原稿読み取り部９０の後側の回動軸を記録装置本体に支持されており、その回動軸を中心に原稿読み取り部９０を上方へ回動させることにより記録装置内部へアクセスできるようにされている。これにより、インク交換やジャム処理などの作業を容易に行うことができるのでメンテナンス性が向上する。
【００４１】
またこの記録装置は、給紙カセット１０を第１の固定位置と第２の固定位置との間を移動させる駆動部（不図示）と、シート先端規制部材１１が第１の規制位置に配置されているか第２の規制位置に配置されているかを検出するセンサ（不図示）と、を有している。
【００４２】
この記録装置では、給紙命令が発令されて給紙動作を開始する際に、シート先端規制部材１１が第１の規制位置に配置されていることをセンサが検出した場合には、制御部（不図示）がセンサからの信号を受けて駆動部を作動させる。これにより、駆動部が給紙カセット１０を第１の固定位置から給紙可能位置である第２の固定位置へと移動させた後に給紙が開始される。一方、この記録装置では、給紙命令が発令されて給紙動作を開始する際に、シート先端規制部材１１が第２の規制位置に配置されていることをセンサが検出した場合には、給紙カセット１０を給紙可能位置である第１の固定位置に配置させたまま給紙が開始される。このように、この記録装置によれば、給紙命令が発令されて給紙動作を開始する際に給紙カセット１０が給紙不能位置に配置されたままカセット給紙ローラ３０によりシートが給送されることを防止することができる。
【００４３】
以上説明したように、この記録装置は、シートの搬送路を長くすることや、記録ヘッドを記録装置の後側に配置させることなく、第２の給紙部を備えたまま、記録装置本体の突き出ている部分を無くすことができる。よって、本実施形態に係る記録装置によれば、記録スピードやメンテナンス性や操作性を損なうことなく、設置面積の省スペース化を図ることができる。
【００４４】
なお以上では、給紙命令が発令されて給紙動作を開始する際に、シート先端規制部材１１の位置をセンサが検出することにより、給紙カセット１０の固定位置を給紙可能位置に駆動部によって自動的に変更させる構成について説明した。しかし、給紙命令が発令されて給紙動作を開始する際に、給紙カセット１０が給紙不能位置に配置されたままカセット給紙ローラ３０によりシートが給送されることを防止することができる構成ならば、他の構成であっても本発明の目的を達成することができる。
【００４５】
たとえば、給紙命令が発令されて給紙動作を開始する際に、給紙カセット１０が給紙不能位置に配置されている場合に、エラーメッセージを出してカセット給紙ローラ３０を作動させない構成でもよい。これにより、操作者は、給紙カセット１０が給紙不能位置に配置されていることに気づき、給紙カセット１０を給紙可能位置にセットしなおしてから、再びシートに記録させる操作をすることができる。
【００４６】
また、収納位置に配置されている排紙トレイ７１を前方への回動操作により積載可能位置まで移動させる動作に連動させて給紙カセット１０を第１の固定位置から第２の固定位置へと移動させる構成でもよい。
【００４７】
すなわち、本実施形態の記録装置は、収納位置に配置されている排紙トレイ７１の前方への回動操作による駆動力を給紙カセット１０に伝達する連動駆動機構として、カム（不図示）やギア（不図示）などを備えていてもよい。排紙トレイ７１の前方への回動操作による駆動力がこの連動駆動機構を介して給紙カセット１０に伝達されると、給紙カセット１０はこの駆動力により第１の固定位置から第２の固定位置へと移動させられる。なおシート先端規制部材１１は第１の規制位置から移動できないようにされている。
【００４８】
排紙トレイ７１が収納位置に配置されているときには給紙カセット１０は給紙不能位置である第１の固定位置に配置されている。排紙トレイ７１が回動軌道中にあるときも、給紙カセット１０は、給紙不能位置である、第１の固定位置から第２の固定位置への移動経路中に配置されている。一方、排紙トレイ７１が積載可能位置に配置されているときには、給紙カセット１０は給紙可能位置である第２の固定位置に配置されている。
【００４９】
以上により、排紙トレイ７１が積載可能位置に配置されているときのみ、給紙カセット１０は給紙可能位置に配置させられる。よって、排紙トレイ７１が積載不能位置に配置されている場合にこの記録装置が作動しないように制御しておくことによって、給紙カセット１０が給紙不能位置に配置されたままカセット給紙ローラ３０によりシートが給送されることを防止することができる。
【００５０】
なお、本実施形態に係る記録装置では、排紙トレイは折り畳み可能な構成になっているが、排紙トレイはその全体が記録装置本体内に収容可能な構成でもよい。この場合、排紙トレイが記録装置本体内に収容された収納位置から積載可能位置へと移動させられる動作に連動して、連動駆動機構（不図示）により第１の固定位置から第２の固定位置へと移動させられる構成でも、本発明の目的を達成することができる。
【図面の簡単な説明】
【００５１】
【図１】本発明の一実施形態に係る記録装置の側断面図である。
【図２】本発明の一実施形態に係る記録装置の側断面図である。
【図３】本発明の一実施形態に係る記録装置の側断面図である。
【図４】従来の記録装置の側断面図である。
【図５】従来の記録装置の側断面図である。
【図６】従来の記録装置の側断面図である。
【符号の説明】
【００５２】
１０    給紙カセット
１１    シート先端規制部材
１２    シート後端規制部材
２０    給紙カセットロックレバー
２１ａ，２１ｂ  溝
３０    カセット給紙ローラ
４０    Ｕターン搬送部
５０    搬送ローラ
６０    記録ヘッド
６１    インクタンク
７０    排紙ローラ
７１    排紙トレイ
８０    第２の給紙部
８１    給紙トレイ
９０    原稿読み取り部
【図１】
2009143691.tif 000003
【図２】
2009143691.tif 000004
【図３】
2009143691.tif 000005
【図４】
2009143691.tif 000006
【図５】
2009143691.tif 000007
【図６】
2009143691.tif 000008